【手続補正書】
【提出日】平成21年11月19日(2009.11.19)
【手続補正１】
【補正対象書類名】明細書
【補正対象項目名】特許請求の範囲
【補正方法】変更
【補正の内容】
【特許請求の範囲】
【請求項１】 
半導体スイッチング素子と前記半導体スイッチング素子に逆並列接続される還流ダイオードとの並列接続体を２個直列接続してなる直列接続体と、前記並列接続体を2個直列接続した接続点がインバータ装置の出力端子に接続され、前記直列接続体を直流電源の正負極間に２個以上並列接続してなるインバータ装置において、
２以上の抵抗を並列接続してなる第１の抵抗群であり、かつインバータ装置の出力電流が流れる前記第１の抵抗群と、
インバータ装置の出力電流が前記第１の抵抗群を流れる際に前記並列接続された各抵抗の端子間に発生する各抵抗端子間電圧を増幅し、かつ各増幅値を加算して前記出力電流を検出する手段を備えたことを特徴とするインバータ装置。
【請求項２】
半導体スイッチング素子と前記半導体スイッチング素子に逆並列接続される還流ダイオードとの並列接続体を２個直列接続してなる直列接続体と、前記並列接続体を2個直列接続した接続点がインバータ装置の出力端子に接続され、前記直列接続体を直流電源の正負極間に２個以上並列接続してなるインバータ装置において、
前記直列接続体の前記接続点とインバータ装置の前記出力端子との間に挿入接続された第１の抵抗と、差動増幅器と、前記差動増幅器の負側入力端子と前記第１の抵抗の一方の側の端子との間に挿入接続された第４の抵抗と、前記差動増幅器の負側入力端子と出力端子との間に接続された第３の抵抗と、前記第１の抵抗のもう一方の側の端子と前記差動増幅器の正側入力端子との間に挿入接続された第２の抵抗と、基準電圧と、前記基準電圧と前記差動増幅器の正側入力端子との間に接続された第５の抵抗とからなる構成体と、前記構成体を２個以上有し、かつ各構成体中の第１の抵抗を互いに並列接続し、かつ各構成体中の差動増幅器各出力を加算する加算器とからなる電流検出手段を備えたことを特徴とするインバータ装置。
【請求項３】 
半導体スイッチング素子と前記半導体スイッチング素子に逆並列接続される還流ダイオードとの並列接続体を２個直列接続してなる直列接続体と、前記並列接続体を2個直列接続した接続点がインバータ装置の出力端子に接続され、前記直列接続体を直流電源の正負極間に２個以上並列接続してなるインバータ装置において、
２以上の抵抗を並列接続してなる第１の抵抗群であり、かつ前記直列接続体の前記接続点とインバータ装置の出力端子との間に挿入接続された前記第１の抵抗群と、
インバータ装置の出力電流が前記第１の抵抗群を流れる際に前記並列接続された各抵抗の端子間に発生する各抵抗端子間電圧を増幅し、かつ各増幅値を加算して前記出力電流を検出する手段を備えたことを特徴とするインバータ装置。
【請求項４】
前記インバータ装置において、
２個以上並列接続された前記直列接続体と前記直流電源の負極側端子との間に前記第１の抵抗群を挿入接続したことを特徴とする請求項３記載のインバータ装置。
【請求項５】
前記インバータ装置において、
２個以上並列接続された前記直列接続体と前記直流電源の正極側端子との間に前記第１の抵抗群を挿入接続したことを特徴とする請求項３記載のインバータ装置。
【請求項６】
前記各直列接続体を構成する負極側並列接続体である半導体スイッチング素子および還流ダイオードと前記第１の抵抗群との接続点において還流ダイオードのみその接続を切り放し前記直流電源の負極側端子に接続したことを特徴とする請求項４記載のインバータ装置。
【請求項７】
前記第１の抵抗群を構成する並列接続された各抵抗は、電流を導通させる端子対と電圧信号を取り出す端子対とをもつ４端子構造一体型の抵抗である請求項１ないし請求項６記載のインバータ装置。
【手続補正２】
【補正対象書類名】明細書
【補正対象項目名】０００４
【補正方法】変更
【補正の内容】
【０００４】
【課題を解決するための手段】
上記問題を解決するため本発明は請求項１記載のように、半導体スイッチング素子と前記半導体スイッチング素子に逆並列接続される還流ダイオードとの並列接続体を２個直列接続してなる直列接続体と、前記並列接続体を2個直列接続した接続点がインバータ装置の出力端子に接続され、前記直列接続体を直流電源の正負極間に２個以上並列接続してなるインバータ装置において、２以上の抵抗を並列接続してなる第１の抵抗群であり、かつインバータ装置の出力電流が流れる前記第１の抵抗群と、インバータ装置の出力電流が前記第１の抵抗群を流れる際に前記並列接続された各抵抗の端子間に発生する各抵抗端子間電圧を増幅し、かつ各増幅値を加算して前記出力電流を検出する手段を備えたことを特徴とする。
【手続補正３】
【補正対象書類名】明細書
【補正対象項目名】０００５
【補正方法】変更
【補正の内容】
【０００５】
また請求項２記載のように、半導体スイッチング素子と前記半導体スイッチング素子に逆並列接続される還流ダイオードとの並列接続体を２個直列接続してなる直列接続体と、前記並列接続体を2個直列接続した接続点がインバータ装置の出力端子に接続され、前記直列接続体を直流電源の正負極間に２個以上並列接続してなるインバータ装置において、前記直列接続体の前記接続点とインバータ装置の前記出力端子との間に挿入接続された第１の抵抗と、差動増幅器と、前記差動増幅器の負側入力端子と前記第１の抵抗の一方の側の端子との間に挿入接続された第４の抵抗と、前記差動増幅器の負側入力端子と出力端子との間に接続された第３の抵抗と、前記第１の抵抗のもう一方の側の端子と前記差動増幅器の正側入力端子との間に挿入接続された第２の抵抗と、基準電圧と、前記基準電圧と前記差動増幅器の正側入力端子との間に接続された第５の抵抗とからなる構成体と、前記構成体を２個以上有し、かつ各構成体中の第１の抵抗を互いに並列接続し、かつ各構成体中の差動増幅器各出力を加算する加算器とからなる電流検出手段を備えたことを特徴とする。
【手続補正４】
【補正対象書類名】明細書
【補正対象項目名】０００６
【補正方法】変更
【補正の内容】
【０００６】
また請求項３記載のように、半導体スイッチング素子と前記半導体スイッチング素子に逆並列接続される還流ダイオードとの並列接続体を２個直列接続してなる直列接続体と、前記並列接続体を2個直列接続した接続点がインバータ装置の出力端子に接続され、前記直列接続体を直流電源の正負極間に２個以上並列接続してなるインバータ装置において、２以上の抵抗を並列接続してなる第１の抵抗群であり、かつ前記直列接続体の前記接続点とインバータ装置の出力端子との間に挿入接続された前記第１の抵抗群と、インバータ装置の出力電流が前記第１の抵抗群を流れる際に前記並列接続された各抵抗の端子間に発生する各抵抗端子間電圧を増幅し、かつ各増幅値を加算して前記出力電流を検出する手段を備えたことを特徴とする。
【手続補正５】
【補正対象書類名】明細書
【補正対象項目名】００１４
【補正方法】変更
【補正の内容】
【００１４】
請求項３記載の構成においては、被検出電流が流れる第１の抵抗群を並列接続により構成し、この各抵抗端子間電圧を増幅して、増幅された各抵抗端子間電圧を加算器により全て加え合わせたその合計値から電流検出を行うことにより、銅パターンの影響の削除、大きな端子間電圧を得ることによる増幅器等に内在する検出誤差の低減、および抵抗の小型化とをあわせて実現することができる。請求項４および請求項５記載の構成は、請求項３記載の構成における電流検出器の挿入位置を変更しただけのものであり、その検出原理および作用効果は前記と同様である。
【手続補正６】
【補正対象書類名】明細書
【補正対象項目名】００１５
【補正方法】変更
【補正の内容】
【００１５】
また請求項６記載の構成は、請求項４記載の構成における電流検出器の挿入位置において、かつ直流電源の負極側に接続された半導体スイッチング素子と還流ダイオードとの並列接続体においてその還流ダイオードの接続位置を変更したものである。この構成は請求項４または請求項５記載の構成に比べ、インバータ装置の出力電力が小さい場合でも、第１の抵抗群を流れる被検出電流の導通時間幅を十分に確保できるという効果がある。また請求項１ないし請求項６記載のいずれの構成においても並列接続された第１の抵抗群の各抵抗に関し、被検出電流が流れる電流端子部と被検出電圧出力部とを別々に備えた４端子構造の抵抗（図９および図１０）を使用することで、抵抗をプリント基板に実装する際に電流端子部の半田接続で発生する誤差電圧の影響をも削除した検出誤差の極めて少ない電流検出器を構成できるという効果も期待できる。
【手続補正７】
【補正対象書類名】明細書
【補正対象項目名】００２１
【補正方法】変更
【補正の内容】
【００２１】
【発明の効果】
以上述べたように本発明によれば、被検出大電流用の検出抵抗を並列接続された小型かつ抵抗値の小さな抵抗のみで構成でき、また検出用抵抗が並列接続でありながらプリント基板の銅パターンインピーダンスによる影響を含まない、従って抵抗の端子間電圧のみを増幅抽出でき、さらには小さな抵抗値でありながら大きな抵抗端子間電圧をも得ることができ、従って増幅器の入力オフセット電圧等の影響も低減できるという効果がある。すなわち大きな被検出電流に対しても誤差の少ない、しかも小型サイズの電流検出器を構成でき、超小型のインバータ装置を提供できる。